(57)【特許請求の範囲】
【請求項１】
表示機能とユーザによるタッチ操作の検出機能とを備えるタッチパネルと、
複数のグループにグループ分けされている、音響信号処理を行う複数の内部チャンネルについて、前記タッチパネル上に、前記グループに属する複数の内部チャンネルのそれぞれの設定レベルを示す複数のメータを一まとまりにしたグループメータ表示を、前記複数の各グループに対応して複数表示するグループメータ表示手段と、
前記タッチパネル上に表示された前記複数のグループメータ表示のうち、ユーザがタッチしたグループメータ表示に対応するグループに属する内部チャンネルを、設定する対象の内部チャンネルとして選択する制御手段と
を備えることを特徴とするタッチパネル付き音響機器。
【請求項２】
表示機能とユーザによるタッチ操作の検出機能とを備えるタッチパネルと、
複数のグループにグループ分けされている、音響信号処理を行う複数の内部チャンネルについて、前記タッチパネル上に、前記グループに属する複数の内部チャンネルのそれぞれの設定レベルを示す複数のメータを一まとまりにしたグループメータ表示を、前記複数の各グループに対応して複数表示するグループメータ表示手段と、
前記タッチパネル上に表示された前記複数のグループメータ表示のうち、ユーザがタッチしたグループメータ表示に対応するグループに属する内部チャンネルを、設定する対象の内部チャンネルとして選択する制御手段と
を備えることを特徴とするチャンネル選択装置。
【請求項３】
表示機能とユーザによるタッチ操作の検出機能とを備えるタッチパネルを備えるタッチパネル付き機器において内部チャンネルを選択するためのプログラムであって、
前記タッチパネル付き機器が備える処理手段に、
複数のグループにグループ分けされている、音響信号処理を行う複数の内部チャンネルについて、前記タッチパネル上に、前記グループに属する複数の内部チャンネルのそれぞれの設定レベルを示す複数のメータを一まとまりにしたグループメータ表示を、前記複数の各グループに対応して複数表示するグループメータ表示工程と、
前記タッチパネル上に表示された前記複数のグループメータ表示のうち、ユーザがタッチしたグループメータ表示に対応するグループに属する内部チャンネルを、設定する対象の内部チャンネルとして選択する制御工程と
を実行させることを特徴とするプログラム。
【発明の詳細な説明】
【技術分野】
【０００１】
この発明は、タッチパネル付きのディジタルミキサなどの音響機器に関し、特にメータの画像でチャンネルレイヤを切り替える機能を備えた音響機器、チャンネル選択装置、およびプログラムに関する。
【背景技術】
【０００２】
大型のディジタルミキサのように、例えば入力チャンネル（ｃｈ）数よりもパネル上のチャンネルフェーダなどの物理操作子の数が少ない機器が増えてきている。この場合、あるｃｈのパラメータを操作するためには、例えばセレクトボタンなどを使用して、対象のｃｈを一時的にパネル上のフェーダなどにアサインし、パラメータ値の変更などを行っていた（非特許文献１参照）。
【０００３】
図６は、従来のミキサ６００の外部パネルの例を示す。表示部６０１および複数ｃｈ分のフェーダなどの操作子群６０２がパネル上に設けられている。操作子群６０２はＭチャンネル分しか設けられておらず、実際の内部ｃｈとしてはそれより多いＮチャンネル分（Ｎ＞Ｍ）の入力信号の処理を行わなくてはならないため、アサインキー６０３が設けられている。６１０はアサインキーの部分の拡大図である。１〜８ｃｈを選択するためのスイッチ６１１、同様に９〜１６ｃｈ、１７〜２４ｃｈ、２５〜３２ｃｈのそれぞれのｃｈをアサインするためのスイッチ６１２〜６１４が設けられている。例えばアサインキー６１１をオンすると、操作子群６０２が１〜８ｃｈに割り当てられ、その操作対象のｃｈをパネル上の操作子６０２で制御することができるようになる。
【先行技術文献】
【非特許文献】
【０００４】
【非特許文献１】Digital Production Console DM2000,Ver.2,取扱説明書，2003年（第３章「基本操作」の「レイヤーの選択」の項）
【発明の概要】
【発明が解決しようとする課題】
【０００５】
上述したように、物理的な操作子にアサインされていないｃｈのパラメータを操作するためには、操作対象のｃｈを物理操作子にアサインする必要がある。多くの場合、アサイン専用の物理キーを用意して、対象のｃｈをすぐに物理操作子にアサインできるようにしてあるが、ｃｈ数が多いほどパネル面を広く使用する上、スイッチも大量に必要になり、コストの増加に繋がる。
【０００６】
この発明は、全体のｃｈ数が多い音響機器であっても、それら多くのｃｈの中から設定する対象の複数のｃｈを容易に選択可能とすることを目的とする。
【課題を解決するための手段】
【０００７】
上記目的を達成するため、請求項１に係るタッチパネル付き音響機器は、表示機能とユーザによるタッチ操作の検出機能とを備えるタッチパネルと、複数のグループにグループ分けされている、音響信号処理を行う複数の内部チャンネルについて、前記タッチパネル上に、前記グループに属する複数の内部チャンネルのそれぞれの設定レベルを示す複数のメータを一まとまりにしたグループメータ表示を、前記複数の各グループに対応して複数表示するグループメータ表示手段と、前記タッチパネル上に表示された前記複数のグループメータ表示のうち、ユーザがタッチしたグループメータ表示に対応するグループに属する内部チャンネルを、設定する対象の内部チャンネルとして選択する制御手段とを備えることを特徴とする。
【０００８】
請求項２に係るチャンネル選択装置は、表示機能とユーザによるタッチ操作の検出機能とを備えるタッチパネルと、複数のグループにグループ分けされている、音響信号処理を行う複数の内部チャンネルについて、前記タッチパネル上に、前記グループに属する複数の内部チャンネルのそれぞれの設定レベルを示す複数のメータを一まとまりにしたグループメータ表示を、前記複数の各グループに対応して複数表示するグループメータ表示手段と、前記タッチパネル上に表示された前記複数のグループメータ表示のうち、ユーザがタッチしたグループメータ表示に対応するグループに属する内部チャンネルを、設定する対象の内部チャンネルとして選択する制御手段とを備えることを特徴とする。
【０００９】
請求項３に係る発明は、表示機能とユーザによるタッチ操作の検出機能とを備えるタッチパネルを備えるタッチパネル付き機器において内部チャンネルを選択するためのプログラムであって、前記タッチパネル付き機器が備える処理手段に、複数のグループにグループ分けされている、音響信号処理を行う複数の内部チャンネルについて、前記タッチパネル上に、前記グループに属する複数の内部チャンネルのそれぞれの設定レベルを示す複数のメータを一まとまりにしたグループメータ表示を、前記複数の各グループに対応して複数表示するグループメータ表示工程と、前記タッチパネル上に表示された前記複数のグループメータ表示のうち、ユーザがタッチしたグループメータ表示に対応するグループに属する内部チャンネルを、設定する対象の内部チャンネルとして選択する制御工程とを実行させることを特徴とする。
【発明の効果】
【００１０】
本発明によれば、全体のｃｈ数が多い音響機器であっても、それら多くのｃｈの中から設定する対象の複数のｃｈを容易に選択することができる。また、アサイン専用の物理キーが不要となるため、物理キーやパネル面などのコストが削減できる。
【図面の簡単な説明】
【００１１】
【図１】実施形態の音響機器のモジュール構成図
【図２】実施形態の音響機器のハードウェア構成図
【図３】タッチパネル部分の拡大図
【図４】操作子の割り当てに固定部を持つ例を示す図
【図５】チャンネルアサイン処理とアサイン可能数変更処理の手順を示すフローチャート
【図６】従来技術を示す図
【発明を実施するための形態】
【００１２】
以下、図面を用いてこの発明の実施の形態を説明する。
【００１３】
図１は、本実施形態の音響機器のモジュール構成を示す。ミキサなどの音響機器１００は、タッチパネル１０１と、処理回路１０２と、物理的な操作子群１０３とを備えている。処理回路１０２では、Ｎチャンネルの音響信号の処理を行っており、操作子群１０３はＭチャンネル分の（Ｎ＞Ｍ）操作しか行うことができない。そこで、ｃｈを分けて操作子群１０３に割り当てる機能を備えている。
【００１４】
図２は、図１の音響機器（ディジタルミキサ）１００のハードウェア構成例を示す。ＣＰＵ（中央処理装置）２０１は、この音響機器全体の動作を制御する処理装置である。ＲＡＭ（ランダムアクセスメモリ）２０２は、ＣＰＵ２０１が実行するプログラムのロード領域やワーク領域に使用する揮発性メモリである。ＲＯＭ（リードオンリメモリ）２０３は、ＣＰＵ２０１が実行する制御プログラムや各種のデータを格納する不揮発性メモリである。操作子２０６は、この音響機器の外部パネルなどに設けられているスイッチやフェーダなどの操作子である。操作子２０６の操作は検出回路２０５により検出され、検出結果がＣＰＵ２０１に送られる。表示部２０８は、各種の情報を表示するディスプレイ（タッチパネル）である。表示回路２０７は、ＣＰＵ２０１からの指示に基づいて、与えられたデータを表示部２０８に表示するとともに、ユーザが画面に触れる操作を検出しその操作情報をＣＰＵ２０１に送る。通信インタフェース（Ｉ／Ｆ）２０９は、外部機器１０１と接続するためのインタフェースである。外部機器１０１との接続方式は、どのようなものでも良い。音声信号入力回路２１０は、マイクなどのオーディオ入力機器２２１からオーディオデータを入力する回路である。音声信号出力回路２１１は、スピーカなどのオーディオ出力機器２２２にオーディオデータを出力する回路である。
【００１５】
ＤＳＰ（ディジタル信号処理装置）２０４は、ＣＰＵ２０１から設定されたパラメータを用いて、ＣＰＵ２０１から設定されたマイクロプログラムを実行することにより、音響機器（ミキサ）としての機能を実現する信号処理装置である。例えば、音声信号入力回路２１０から入力した音響信号をＤＳＰ２０４によりミキシング処理や調整処理して、その結果を音声信号出力回路２１１経由でスピーカなど２２２に出力することができる。このミキサの内部ｃｈ数は、操作子群１０３のｃｈ数より多いものとする。
【００１６】
図３は、タッチパネル部分の拡大図（表示例）を示す。音響機器１００の外部パネル上にタッチパネル１０１および複数ｃｈ分（ここでは１６ｃｈ分）の操作子群１０３が設けられている。タッチパネル１０１には拡大図３００に示すような画面が表示されている。３１１および３１２は操作子群１０３の各ｃｈ操作子に対応する表示である。３０１は１〜１６の各ｃｈのレベルを示すメータ画像であり、同様に３０２〜３０４はそれぞれ１７〜３２、３３〜４８、４９〜６４の各ｃｈのメータ画像である。本実施形態ではこの複数ｃｈのメータ画像部分をタッチすることにより、操作子群１０３への各ｃｈのアサインを行うことができる。すなわち、例えばメータ画像３０１をタッチすると、操作子群１０３は１〜１６ｃｈの操作を行う操作子群となり、メータ画像３０２をタッチすると１７〜３２ｃｈの操作を行う操作子群にアサインされる。
【００１７】
図４は、操作子の割り当てに固定部を持つ例である。外部パネル上にタッチパネル１０１と１６ｃｈ分の操作子群１０３が設けられているのは図３と同様である。図４では、１６ｃｈ分の操作子群を２つに分け左側の８ｃｈ分は複数ｃｈにアサイン可能とし、右側の８ｃｈ分は所定の操作によりアサインした８ｃｈ分が固定の操作対象ｃｈとして割り当てられる。これは、例えば出力側のｃｈで常に操作したいものを固定の領域４０２にアサインし、それ以外の入力ｃｈは適宜４０１に割り当てるようなケースで便利である。タッチパネル１０１の拡大図４００で示されるように、メータ画像は８ｃｈ毎に区切られ、４１１〜４１８に示すように表示される。４１１をタッチすると、アサイン可能な操作子群４０１が１〜８ｃｈの操作子となり、メータ画像４１２をタッチすると操作子群４０１が９〜１６ｃｈの操作子群となる。以下同様である。
【００１８】
図５（ａ）は、チャンネルアサイン（通常）処理の手順を示す。この処理は、図３や図４でメータ画像３０１〜３０４，４１１〜４１８がタッチされたとき実行される。ステップ５０１で、タッチされたメータ画像に対応するｃｈのチャンネル情報（ｃｈナンバ、そのｃｈの現状のレベル値など）を取得し、ステップ５０２でそれらのｃｈを操作子群にアサインする。ステップ５０３で操作子の位置情報を更新する。ステップ５０３は、アサインしたｃｈの現状のレベル値に応じて操作子群１０３のフェーダ（ムービングフェーダとする）の位置を変更する処理などである。
【００１９】
図５（ｂ）は、アサイン可能数を変更する処理の手順を示す。この処理は、所定のアサイン可能数変更画面を表示して、固定化するｃｈ数が指定されたとき実行される。ステップ５１１で、固定化を指示されたｃｈ数を取得する。ステップ５１２で、「最大アサイン可能数−固定化数」を計算し、その計算値毎にメータ画像を再グルーピング化するとともに、固定部として使用する操作子群（図４の４０２）に、固定の操作対象ｃｈとして割り当てるｃｈをアサインする。ステップ５１３でメータ画像を再描画する。
【符号の説明】
【００２０】
１００…音響機器、１０１…タッチパネル、１０２…処理回路、１０３…操作子群、３００…拡大図、３０１〜３０４…メータ表示。
【図１】
0005532524.tif 000002
【図２】
0005532524.tif 000003
【図３】
0005532524.tif 000004
【図４】
0005532524.tif 000005
【図５】
0005532524.tif 000006
【図６】
0005532524.tif 000007